【手続補正書】
【提出日】平成24年2月23日(2012.2.23)
【手続補正１】
【補正対象書類名】特許請求の範囲
【補正対象項目名】全文
【補正方法】変更
【補正の内容】
【特許請求の範囲】
【請求項１】
ユーザ装備（ＵＥ）の位置情報を更新する方法であって、
ノードＢから前記ＵＥの前記位置情報をモバイル管理エンティティ（ＭＭＥ）へ転送するステップと、
前記ＭＭＥがネットワークに格納された前記ＵＥの前記位置情報を前記ノードＢから前記ＵＥの前記位置情報に更新するステップと、
を含むことを特徴とする方法。
【請求項２】
前記ＵＥの前記位置情報は、
前記ＵＥが位置している該当セルでのＴＡＩ（Tracking Area Identifier）を含むことを特徴とする請求項１に記載の方法。
【請求項３】
前記位置情報を転送するステップは、
接続モードにある前記ＵＥからアップリンク測定報告メッセージ（uplink Measuring Report message）をソースノードＢへ転送するステップと、
前記ソースノードＢが前記ＵＥが新規セル内にスイッチングされるか否かを判断し、前記ソースノードＢからスイッチング要請メッセージ（Switching Request message）を目的地ノードＢへ転送するステップと、
前記目的地ノードＢからスイッチング応答メッセージ（Switching Response message）を前記ソースノードＢへ転送するステップと、
前記ソースノードＢからスイッチングコマンドメッセージ（Switching Command message）を前記ＵＥへ転送するステップと、
前記ＵＥからスイッチング完了メッセージ（Switching Complete message）を前記目的地ノードＢでの前記目的地セルへ転送するステップと、
前記目的地ノードＢから経路スイッチング要請メッセージ（Path Switching Request message）を前記ＭＭＥへ転送するステップと、
前記ＭＭＥから経路スイッチング完了メッセージ（Path Switching Completed message）を前記目的地ノードＢへ転送するステップと、を含み、
前記経路スイッチング要請メッセージは、前記ＵＥの前記位置情報を含むことを特徴とする請求項２に記載の方法。
【請求項４】
前記測定報告メッセージは、
隣接セルに対する測定結果を含むことを特徴とする請求項３に記載の方法。
【請求項５】
前記スイッチング要請メッセージは、
ソースセルが前記ＵＥに割り当てるＩＤ、目的地セルＩＤ、データ接続が構築される情報、データ接続ＩＤ、及びＱｏＳ（Quality of Service）情報を含むことを特徴とする請求項３に記載の方法。
【請求項６】
前記位置情報を転送するステップは、
接続モードにある前記ＵＥからアップリンク測定報告メッセージ（uplink Measuring Report message）をソースノードＢへ転送するステップと、
前記ソースノードＢが前記ＵＥが新規セル内にスイッチングされるか否かを判断し、前記ソースノードＢからスイッチング要求メッセージ（Switching Requirement message）をソースＭＭＥへ転送するステップと、
前記ソースＭＭＥが該当目的地ノードＢ内のＭＭＥを検索し、前記ソースＭＭＥからスイッチング要請メッセージ（Switching Request message）を目的地ＭＭＥへ転送するステップと、
前記目的地ＭＭＥから前記スイッチング要請メッセージを前記目的地ノードＢへ転送するステップと、
前記目的地ノードＢからスイッチング要請メッセージに対する返信を前記目的地ＭＭＥへ転送するステップと、
前記目的地ＭＭＥから前記ソースＭＭＥにスイッチング応答メッセージ（Switching Response message）を転送するステップと、
前記ソースＭＭＥからスイッチングコマンドメッセージ（Switching Command message）を前記ソースノードＢへ転送するステップと、
前記ソースノードＢ上のソースセルから前記スイッチングコマンドメッセージを前記ＵＥへ転送するステップと、
前記ＵＥからスイッチング完了メッセージ（Switching Completed message）を目的地ノードＢ上の前記目的地セルへ転送するステップと、
前記目的地ノードＢから前記目的地ＭＭＥに前記ＵＥの前記位置情報を含むスイッチ通知メッセージ（Switching Notification message）を転送するステップと、
を含むことを特徴とする請求項２に記載の方法。
【請求項７】
前記スイッチング要請メッセージは、
前記ソースノードＢ及び前記目的地ノードＢに関する情報、前記ソースノードＢから前記目的地ノードＢへのコンテナ、及びインターフェースＳ１に使われるユーザＩＤを含むことを特徴とする請求項６に記載の方法。
【請求項８】
前記ノードＢから前記ＭＭＥへＵＥドメインＩＤを転送するステップをさらに含むことを特徴とする請求項２に記載の方法。
【請求項９】
前記ＵＥドメインＩＤを転送するステップは、
接続モードにある前記ＵＥからアップリンク測定報告メッセージ（uplink Measuring Report message）をソースノードＢへ転送するステップと、
前記ソースノードＢが前記ＵＥが新規セルにスイッチングできるか否かを判断し、前記ソースノードＢからスイッチング要求メッセージ（Switching Requirement message）をソースＭＭＥへ転送するステップと、
前記ソースＭＭＥが目的地ノードＢ上で該当ＭＭＥを検索し、前記ソースＭＭＥからスイッチング要請メッセージを目的地ＭＭＥへ転送するステップと、
前記目的地ＭＭＥから前記スイッチング要請メッセージを前記目的地ノードＢへ転送するステップと、
前記目的地ノードＢからスイッチング要求メッセージに対する返信（Answer To Switching Request message）を前記目的地ＭＭＥへ転送するステップと、
前記目的地ＭＭＥからスイッチング応答メッセージを前記ソースＭＭＥへ転送するステップと、
前記ソースＭＭＥからスイッチングコマンドメッセージを前記ソースノードＢへ転送するステップと、
前記ソースノードＢ上のソースセルから前記スイッチングコマンドメッセージを前記ＵＥへ転送するステップと、
前記ＵＥからスイッチング完了メッセージを前記目的地ノードＢ上の目的地セルへ転送するステップと、
前記目的地ノードＢから前記目的地ＭＭＥに前記目的地セルの位置情報を含んでいるスイッチング通知メッセージを転送するステップと、
を含むことを特徴とする請求項８に記載の方法。
【請求項１０】
前記ＭＭＥからＵＥ位置報告要請メッセージを前記ノードＢへ転送するステップと、
前記ノードＢからＵＥ位置報告応答メッセージを前記ＭＭＥへ転送するステップと、
をさらに含むことを特徴とする請求項１に記載の方法。
【請求項１１】
前記ＵＥ位置報告応答メッセージは、
ＵＥが位置しているセルでドメインＩＤ ＴＡＩ（Tracking Area Identifier）を含むことを特徴とする請求項１０に記載の方法。
【請求項１２】
前記ＵＥの前記位置情報を更新するステップは、
目的地ＭＭＥから位置更新要請メッセージをＨＳＳ（Home Subscription Sub-system）へ転送するステップと、
前記ＨＳＳから位置更新確認（Location Update Confirmation message）を目的地ＭＭＥへ転送するステップと、
前記ＨＳＳからＵＥコンテキスト解除要請メッセージをソースＭＭＥへ転送するステップと、
前記ソースＭＭＥからＵＥコンテキスト解除応答メッセージを前記目的地ＭＭＥへ転送するステップと、
を含むことを特徴とする請求項１に記載の方法。
【請求項１３】
前記ＭＭＥからＵＥ位置報告メッセージをＭＳＣ（Mobile Switch Center）に送信するステップと、
前記ＭＳＣがＵＥ情報を格納し、前記ＭＳＣからＵＥ位置報告確認メッセージを前記ＭＭＥに送信するステップと、
をさらに含むことを特徴とする請求項１に記載の方法。
【手続補正２】
【補正対象書類名】明細書
【補正対象項目名】全文
【補正方法】変更
【補正の内容】
【発明の詳細な説明】
【発明の名称】ユーザ装備の位置情報を更新するための方法
【技術分野】
【０００１】
本発明は、通信分野に関し、特に改善されたネットワーク下におけるユーザ装備(
ＵＥ：Ｕｓｅｒ Ｅｑｕｉｐｍｅｎｔ）の位置情報を更新する方法に関する。
【背景技術】
【０００２】
図１にＳＡＥ（System Architecture Evolution）のシステム構造が図示されている。図１を参照してＳＡＥを説明する。
【０００３】
ユーザ装備（ＵＥ）１０１は、データを受信するための端末装置を示す。
【０００４】
ＥＵＴＲＡＮ（Evolved Universal Terrestial Radio Access Network）１０２は、エボリューションシステムＳＡＥにおける無線アクセスネットワークを示し、無線ネットワークにアクセスするためのインターフェースを有するＬＴＥ（Long Term Evolution）モバイルフォンを提供し、ＥＮＢ（Evolved Node B または eNodeB）とも呼ばれる。ＥＵＴＲＡＮ１０２は、インターフェース（Ｓ１）を経由してＭＭＥ（Mobile Management Entity）１０３とＵＰＥ（User Plane Entity）サービングゲートウェイ１０４に接続する。
【０００５】
ＭＭＥ１０３は、ＵＥ１０１のモバイルコンテキスト（mobile context）及びセッションコンテキスト（session context）を管理し、ユーザ情報を安全に格納するために使われる。
【０００６】
サービングゲートウェイ（Ｓ−ＧＷ）１０４は、主としてユーザプレーン（user plane）の機能を提供する。インターフェース（Ｓ１−ＭＭＥ）は、無線アクセスベアラー（radio access bearer）を構築し、無線アクセスネットワークを介してＵＥ１０１からＭＭＥ１０３までメッセージをフォワーディングするようになる。ＭＭＥ１０３とサービングゲートウェイ１０４との結合された機能は、元のＳＧＳＮ（General Packet Radio Service（ＧＰＲＳ）サポートノード１０６の機能と類似している。そして、ＭＭＥ１０３とサービングゲートウェイ１０４は両方とも同一物理エンティティに位置することもできる。
【０００７】
ＰＤＮ（Packet Data Network）ゲートウェイ１０５は、アカウンティング（accounting）、合法的モニタリングのような機能に使われる。そして、サービングゲートウェイ及びＰＤＮゲートウェイ１０５全ては同一物理エンティティに位置することもできる。ＳＧＳＮ１０６は、現存するＵＭＴＳ（Universal Mobile Telecommunication System）でデータ転送のためのルーティングを提供する。現存するＳＧＳＮは、対応するゲートウェイＧＰＲＳサポートノード（ＧＧＳＮ）をＡＰＮ（Access Point Name）に従って検索する。
【０００８】
ＨＳＳ（Home  Subscription Subsystem）１０７は、ＵＥ１０１の現在の位置、サービングノードのアドレス、ユーザに対する情報関連保安、ＵＥに対する活性化されたＰＤＰ（packet data protocol）のようなユーザ情報を格納するために使われる。
【０００９】
ＰＣＲＦ（Policy and Charging Rules Function）１０８は、ＱｏＳ（Quality of Service）政策及びインターフェース（Ｓ７）を介したアカウンティングルールを提供する。
【００１０】
一般に、ユーザデータストリームは、ＰＤＮゲートウェイ１０５を介してサービングゲートウェイ１０４へ転送される。次に、ＧＰＲＳトンネルプロトコル（ＧＴＰ）チャンネルを経由して、データはサービングゲートウェイ１０４によりＵＥ１０１が位置しているＥＮＢ１０２に送信され、このデータはＥＮＢ１０２により該当ＵＥ１０１に送信される。
【００１１】
図２は、ＭＭＥがモバイル管理エンティティであり、Ｓ−ＧＷがＥＣＮ（Evolved Core Network）でのデータプレーンエンティティであるＳＡＥでのインターフェース（Ｓ１）の構造を示す。ここで、各々のＥＮＢはＭＭＥプール（pool）で幾つかのＭＭＥと接続される。各々のＥＮＢはＳ−ＧＷプールで幾つかのＳ−ＧＷと接続される。ＥＮＢの間のインターフェースはインターフェース（Ｘ２）という。
【００１２】
上記ＵＥがＥＮＢの間を頻繁に移動する場合、アイドルモードで上記ＵＥがアップリンクシグナリング（ＴＡ（Tracking Area）更新メッセージ）を転送することを防ぐために、多重ＴＡリストが用いられる。ＵＥがＴＡ更新過程中の場合、ＭＭＥは隣接する多重ＴＡリストのＵＥにＵＥがＴＡ更新応答メッセージにより接続できることを報告した後、ＵＥが上記メッセージを受信する時にＴＡリストを格納する。このような見地で、ＵＥは多数のＴＡの間で移動する場合、ＴＡ更新過程を開始しない。
【発明の概要】
【発明が解決しようとする課題】
【００１３】
接続モードでのユーザは、ＴＡリスト外部ドメインへ移動する時、ドメインの更新のためのプロセスを開始する必要がある。
【００１４】
従来技術によれば、ドメイン更新プロセスの間、ＵＥは新たな臨時ＩＤを獲得するようになる。該臨時ＩＤは、アイドルモード（idle mode）でＵＥにより使われる。ドメイン更新プロセスが接続モードでユーザに接近禁止される場合、シグナリングを効果的に低減できるようになる。
【００１５】
回路シグナリングがエボリューションネットワークを介してＭＳＣ（Mobile Switch Center）へ転送され、任意のドメインで機能する回路ドメインのためのエンティティを制御する必要があるので、ＵＥが現在位置しているドメイン位置を知らせて、回路ドメインシグナリングがＭＳＣに正確に送信されたか否かを認知するようになる。
【課題を解決するための手段】
【００１６】
本発明は、ＵＥの位置情報を更新するための方法を提供することをその目的とする。
【００１７】
上記の目的を達成するために、ＵＥの位置情報を更新するための方法は、ノードＢがＵＥの位置情報をＭＭＥへ転送するステップ、及びＭＭＥがネットワークに格納されているＵＥの位置情報をＵＥの位置情報として更新するステップを含むことを特徴とする。
【発明の効果】
【００１８】
本発明は、ＵＥの位置情報を更新するための方法を提供してドメイン更新プロセスを実行しなくても互いに異なる地理的ドメインの間で移動する接続モード状態のＵＥをサポートするようになる。また、新たなエボリューションネットワークで転送されるように回路ドメインでのシグナリングをサポートする。
【図面の簡単な説明】
【００１９】
【図１】ＳＡＥシステムネットワークの構造を示す図である。
【図２】インターフェース（Ｓ１）を示す図である。
【図３】ＵＥがインターフェース（Ｘ２）にスイッチングされる第１実施形態を示す図である。
【図４】ＵＥがインターフェース（Ｓ１）にスイッチングされる第２実施形態及び第３実施形態を示す図である。
【図５】第４実施形態を示す図である。
【図６】ＭＭＥがコアネットワークエンティティを更新する第５実施形態を示す図である。
【図７】ＭＭＥが回路ドメインで制御エンティティを更新する第６実施形態を示す図である。
【発明を実施するための形態】
【００２０】
本発明の第１実施形態を図３に示す。図３を参照して以下に詳細に説明する。そして、公知の技術的な説明の詳細は省略する。
【００２１】
ステップ３０１：ＵＥはノードＢに“measuring report”メッセージを送信し、このノードには１つ以上のセルが存在することもでき、１つのセルがユーザをサポートしてユーザに対する現在のセルになる。“measuring report”メッセージは隣接セルに対する測定（measurement）を含む。
【００２２】
ステップ３０２：ノードＢはＵＥの測定報告（measuring report）と目的地セルでのソース管理情報（resource management information）に基づいて、ユーザをより高品質のセルにスイッチングするように判断する。ソースと目的地セルが互いに異なるノードＢに位置する場合、元のセルが位置しているノードＢをソースノードＢといい、新たな目的地セルに対するノードＢを目的地ノードＢという。仮に、ソースと目的地ノードＢとの間にインターフェース（Ｘ２）が存在する場合、ソースセルはＸ２にスイッチングするように判断し、次にソースノードＢは目的地ノードＢに“switching request”メッセージを送信する。“switching request”メッセージは、ソースセルがユーザに割り当てるＩＤ、目的地セルＩＤ、データ接続が構築される情報、データ接続（ＳＡＥベアラー）ＩＤ、及びＱｏｓ情報などを含む。
【００２３】
ステップ３０３：目的地ノードＢはデータ接続に対するＱｏｓ情報に基づいて、このユーザがアクセスできるか否かを判断する。仮に、目的地セルが要請されるソースを提供できる場合、目的地セルは要請されたソースを構成するようになり、空中インターフェース（air interface）に使われるユーザＩＤ Ｃ−ＲＮＴＩ（Cell−Radio Network Temporary Identifier）及びインターフェース（Ｘ２）に使われるｅＮＢ ＵＥ Ｘ２ＡＰ ＩＤを割り当てて、次にソースノードＢに“switching response”メッセージを送信するようになる。このメッセージは、前述した情報、成功的に構築されたデータ接続情報、及びデータ接続を解除することに必要とするＩＤを含む。また、このメッセージはＵＥに送信され、“ソースノードＢから目的地ノードＢまでのコンテナ”の情報要素を通じてソースノードＢへ転送される“switching command”を含む。ステップ３０４：ソースノードＢは“switching command”をＵＥに送信する。
【００２４】
ステップ３０５：ＵＥが目的地セルで同期化プロセスを成功的に遂行するようになれば、“switching completed”メッセージを目的地ノードＢに送信するようになる。
【００２５】
ステップ３０６：目的地ノードＢは、“path switching request”メッセージをＭＭＥに送信し、これはＵＥが位置している現在セルでのＴＡＩ（Tracking Area Identifier）のような位置情報と共にダウンリンクデータ受信用アドレスである新規データ接続のための転送階層アドレス（transmission stratum address）（目的地ノードＢがユーザに割り当てるインターフェース（Ｓ１）に使われるｅＮＢ ＵＥ Ｓ１ＡＰ ＩＤ）を含む。
【００２６】
ステップ３０７：ＭＭＥは、“answer to path switching”メッセージを目的地ノードＢに送信する。このメッセージは、ＭＭＥ ＵＥ Ｓ１ＡＰ ＩＤ及びインターフェース（Ｓ１）で使われるｅＮＢ ＵＥ Ｓ１ＡＰ ＩＤを含む。
【００２７】
本発明の第２実施形態及び第３実施形態を図４に示す。特に、第２実施形態と第３実施形態は、ステップ４０５及びステップ４１０が相異であり、その他のステップは類似している。
【００２８】
ステップ４０１：ＵＥは“measuring report”メッセージをノードＢに送信する。このメッセージは隣接セルに対する測定（measurement）を含む。
【００２９】
ステップ４０２：ソースノードＢは、ＵＥの測定報告及びセルでのソース管理情報に基づいて、より高い品質のセルにユーザをスイッチングするように判断する。仮に、ソース及び目的地セルが互いに異なるノードＢに位置する場合、ソースノードＢはインターフェース（Ｓ１）にスイッチされるように判断し、ソースＭＭＥに“switching requirement”メッセージを送信する。判断する方法は、例えば、ソースノードＢが自分と目的地ノードＢとの間に如何なるインターフェース（Ｘ２）も発見できない実際的な実施に関連する。“switching requirement”メッセージは、ソースノードＢ及び目的地ノードＢ情報、ソースノードＢから目的地ノードＢまでのコンテナ、及びインターフェース（Ｓ１）に使われるユーザＩＤのような情報要素を含むこともできる。メッセージに含まれた目的地ノードＢ ＩＤ及び特定のセルＩＤをコンテナに含める。コンテナは、ＭＭＥ透明転送（transparent transmission）を通じて目的地ノードＢに転送され、ユーザＣ−ＲＮＴＩ及びアクセス階層情報を含む。インターフェース（Ｓ１）に使われる２つのユーザＩＤ、即ち、ソースＭＭＥがユーザに割り当てるＭＭＥ ＵＥ Ｓ１ＡＰ ＩＤ、及びソースノードＢがユーザに割り当てるｅＮＢ ＵＥ Ｓ１ＡＰ ＩＤが存在する。
【００３０】
ステップ４０３：ソースＭＭＥは、該当目的地ノードＢでＭＭＥを検索する。ソースサービスＭＭＥは、目的地ノードＢに接続されているＭＭＥに“forward resetting request”メッセージを送信する。このメッセージは、データ接続が構築できる情報を含む。
【００３１】
ステップ４０４：目的地ＭＭＥは目的地ノードＢに従って該当ノードＢを検索し、目的地ノードＢに“switching request”メッセージを送信する。スイッチング要請（switching request）は、ステップ４０２でのデータ接続のためのＱｏｓ情報とコンテナ情報とを含む。また、このメッセージは目的地ＭＭＥがユーザに割り当てる新規のインターフェース（Ｓ１）に使われるユーザＭＭＥ ＵＥ Ｓ１ＡＰ ＩＤを含む。
【００３２】
ステップ４０５：目的地ノードＢは、コンテナに含まれた目的地セルＩＤに基づいて、ノードＢ上の目的地セルを検索し、このユーザがデータ接続のためのＱｏｓ情報に従ってアクセスできるか否かを判断する。仮に、目的地セルが要請されたソースを提供できる場合、目的地セルは要請されたソースを構成するようになり、空中インターフェースに使われるユーザＩＤと新規のインターフェース（Ｓ１）に使われるｅＮＢ ＵＥ Ｓ１ＡＰ ＩＤを割り当てる。次に、目的地ノードＢは、目的地ＭＭＥに前述した情報を含んでいる“answer to switching request”メッセージを送信する。また、このメッセージは“switching command”を含み、これはＵＥに送信され、新規のＣ−ＲＮＴＩ及びアクセス階層情報が含まれているＭＭＥ透明転送を経由して目的地ノードＢからソースノードＢにコンテナの情報要素を通じてソースへ転送される。本発明の第３実施形態では、“answer to switching request”メッセージ、またＴＡＩのような目的地セルの位置情報に含まれる。
【００３３】
ステップ４０６：目的地ＭＭＥはソースＭＭＥに“forward resetting response”メッセージを送信する。このメッセージはステップ４０５でのコンテナを含む。
【００３４】
ステップ４０７：ソースＭＭＥはソースノードＢに“switching command”を送信する。このメッセージはデータ接続を解除することに使われるＳＡＥデータ接続が成功的に構築されたことを示す情報を含む。また、これはステップ４０５でのコンテナを含む。
【００３５】
ステップ４０８：ソースノードＢ上のセルはＵＥに“switching command”を送信する。
【００３６】
ステップ４０９：ＵＥはメッセージを格納し、目的地セルで同期化プロセスを成功的に実行し、目的地ノードＢに“switching completed”メッセージを送信する。
【００３７】
ステップ４１０：目的地ノードＢは、ＭＭＥが該当ＵＥでコンテキストメッセージを検索できるか否かに基づいて、Ｓ１に使われるユーザＩＤを含む目的地ＭＭＥに“switching notification”メッセージを送信する。本発明の第４実施形態では、“switching notification”メッセージもＴＡＩのような目的地セルの位置情報を含む。
【００３８】
ステップ４１１：目的地ＭＭＥはソースＭＭＥに“forward resetting completed”メッセージを送信する。
【００３９】
ステップ４１２：ソースＭＭＥは目的地ＭＭＥに“answer to forward resetting completed”メッセージを送信する。リセッティングプロセス（resetting process）は完了する。リセッティングプロセスの後、ＵＥにより開始されるドメイン更新プロセスがさらに含まれる。ドメイン更新プロセスの間、ＵＥ情報はソースＭＭＥ端子から解除され、ＨＳＳに含まれたＭＭＥ情報が更新される。ドメイン更新プロセスがない場合、該当ＭＭＥは図６及び／または図７に示した方法を実行することができる。
【００４０】
本発明の第４実施形態を図５に示す。図５を参照して以下に詳細に説明する。そして、公知の技術的な説明の詳細は省略する。
【００４１】
ステップ５０１：ＭＭＥはノードＢに“location report request”メッセージを送信する。ＭＭＥはこのメッセージを任意の時間または正規的に開始することができる。このメッセージはインターフェース（Ｓ１）に使われるユーザＩＤを含む。実施のための他の方法に基づいて、ＭＭＥはステップ５０１でメッセージを送信し、ノードＢがＵＥの位置情報を報告するように構成し、次に、ノードＢは正規的に、またはステップ５０１での構成情報に基づいて、新たなドメインがスイッチングされる度に、このメッセージをステップ５０２で送信する。これは、ステップ５０１でのメッセージが一回転送されることもでき、ステップ５０２で多数回に亘って転送できることを示す。
【００４２】
ステップ５０２：ノードＢはＴＡＩのようなユーザが現在位置している現在セルでの位置情報を検索する。次に、インターフェース（Ｓ１）に使われるユーザＩＤ及びＴＡＩのようなユーザが現在位置している現在セルでのドメインＩＤを含む“location report response”メッセージをＭＭＥに送信する。次に、ＭＭＥは図６及び／または図７に示したステップを実行することができる。
【００４３】
【００４４】
ステップ６０１：ＵＥはソースＭＭＥから新規ＭＭＥに移動し、新規ＭＭＥは目的地ＭＭＥである。前述した図５に関して説明した実施形態に基づいて、目的地ＭＭＥはＴＡＩのようにＵＥが現在位置しているセルでの位置情報を含む。ＭＭＥは、ＭＭＥアドレスまたはＩＤのような現在のＵＥに関するＭＭＥ情報を含む“location update request”メッセージをＨＳＳ、オペレーション（operation）及びメンテナンス（maintenence）のデータベースエンティティに送信する。
【００４５】
ステップ６０２：ＨＳＳは、目的地ＭＭＥに応答メッセージ、“location update request confirmation”を送信する。
【００４６】
ステップ６０３：ＨＳＳはＵＥのコンテキスト情報を削除するように要請するためにソースＭＭＥに“UE context release request”を送信する。
【００４７】
ステップ６０４：ソースＭＭＥはＵＥ情報を削除した後、ＨＳＳに“UE context release response”メッセージを送信する。
【００４８】
図７を参照して以下に詳細に説明する。
【００４９】
ステップ７０１：ＭＭＥはＭＳＣに“UE location report”メッセージを送信する。このメッセージはＴＡＩのようにＵＥの現在位置情報を含む。
【００５０】
ステップ７０２：ＭＳＣはＵＥの位置情報を格納し、ＭＭＥに“UE location report confirmation”メッセージを送信する。
【００５１】
本発明で説明する位置情報はＴＡＩだけでなく、ＵＥが位置しているセルに関するその他の位置情報に該当できる。
【００５２】
本発明は特定の好ましい実施形態を参照して説明されたが、添付の特許請求範囲及びこれらの均等物により定義されるような本発明の趣旨及び範囲を逸脱しない限り、形態及び詳細で多様に変更できることを当業者は理解されるべきである。
【符号の説明】
【００５３】
１０１・・・ユーザ装備（ＵＥ）
１０２・・・ＥＵＴＲＡＮ（Evolved Universal Terrestial Radio Access Network）
１０３・・・ＭＭＥ（Mobile Management Entity）
１０４・・・サービングゲートウェイ
１０５・・・ＰＤＮ（Packet Data Network）ゲートウェイ
１０６・・・ＳＧＳＮ
１０７・・・ＨＳＳ